(57)【要約】      （修正有）【課題】磁性配向具を磁気ボードに保持できるようにして、磁性配向具が紛失するのを防ぐ。かつ、磁性配向具を磁気ボードの表示窓部上を操作中に、磁性配向具が移動方向対して傾き、磁性配向具の角部が磁性体反転表示パネルに衝接して傷つけないようにする。【解決手段】磁気ボードの枠部材に、磁性配向具を収納する磁性配向具の全長より僅かに長めの全長を有する凹溝状の磁性配向具用収納部を形成する。長辺側の側壁面が磁気ボードの表示窓部に並列するようにし、表示窓部側の長辺の側壁面を傾斜面とする。収納部の短辺の壁面側の縁部に、磁性配向具用収納部から表示窓部側に延び、一端を磁性配向具用収納部の短辺の壁面に連接した、表示窓部を挿んで平行な２つの起立面を設ける。前記起立面で挟まれた表示窓部の幅を磁性配向具の配向用磁石の長手方向の長さより短寸に形成する。【選択図】      図２
2004181792.tif 000002
【特許請求の範囲】
【請求項１】
Ｓ極およびＮ極を有しＳ極側表面部分とＮ極側表面部分とを異なる色に着色した表示用磁性体と、分散媒と、増稠剤とを主成分とする降伏値を有する分散液体を収容した液体収容室を有する磁性体反転表示パネルを枠部材に支持した磁気ボードと、少なくとも、磁気ボードに形成した表示窓部における前記磁性体反転表示パネルに接近した際に、該磁性体反転表示パネルの表示用磁性体の磁極の向きを反転させるためのＳ極とＮ極とを並列させてなる配向用磁石を設けた磁性配向具とを備えた手書き磁気ボードセットにおいて、前記磁気ボードの枠部材に、前記磁性配向具を着脱自在に収納・保持可能な磁性配向具の全長より僅かに長めの全長を有する凹溝状の磁性配向具用収納部を、長辺側が前記表示窓部に並列するように設けるとともに前記表示窓部側の長辺の側壁面を傾斜面とし、前記磁性配向具用収納部から前記表示窓部側に延び、一端を磁性配向具用収納部の短辺の壁面に連接した前記表示窓部を挟んで平行な２つの起立面を、該起立面のどちらか一方に前記磁性配向具の短辺側の一方の端面が当接可能に設け、前記起立面で挟まれた前記表示窓部の幅を前記磁性配向具の配向用磁石の長手方向の長さより短寸としたことを特徴とする手書き磁気ボードセット。
【請求項２】
前記磁性配向具用収納部の底面に、磁性体の鉄板を配設したことを特徴とする、請求項１に記載の手書き磁気ボードセット。
【発明の詳細な説明】
【０００１】
【発明の属する技術分野】
本発明は、磁性体反転表示パネルを枠部材に支持した磁気ボードと、磁性体反転表示パネルの表示用磁性体の磁極の向きを反転させるためのＳ極とＮ極とを並列させてなる配向用磁石を設けた磁性配向具とを備えた手書き磁気ボードセットに関する。
【０００２】
【従来の技術】
従来、磁性体反転表示パネルについては、特公昭５９−３２７９６号公報等により開示され知られている。その構造について簡単に説明すると、複数の液体収容室に、分散媒と増稠剤とからなる液体中にＳ極とＮ極を有する表示用磁性体を分散した降伏値を有する分散液体を収容した構造である。磁性体反転表示パネルに筆記線を書き込むには、磁石を装着した筆記用磁石ペンを使用する。例えば、表示用磁性体のＳ極側表面部分を緑色に着色し、Ｎ極側表面部分を白色に着色し、表面板が緑色（Ｓ極側表面部分）の表示状態で、筆記用磁石ペンに配設した磁石のＳ極部分で筆記すると表示用磁性体の白色（Ｎ極側表面部分）が表面板側へ配置され、背景が緑色（Ｓ極側表面部分）の表面板側に白（Ｎ極側表面部分）の筆記線が書かれた表示状態となる。筆記線を消去するには、筆記用磁石ペンに配設した磁極と反対の磁極であるＮ極部分が露出するように磁石を装着したイレーザーを用いる。
【０００３】
ところで、筆記用磁石ペンで表示したものを、イレーザーにより表示用磁性体に逆の磁極の磁気を作用させて表示用磁性体をさらに反転させて表示を消去するために、何度も繰り返しているうちに表示用磁性体の表裏が混在するようになってしまう。そのために、表示窓部における表示のコントラストや鮮明さに欠けるという問題が生じる。こうした問題を解決すべく、国際公開第ＷＯ０１／４８５４８号公報により、「磁気ボードに形成した表示窓部における前記磁性体反転表示パネルに接近した際に、該磁性体反転表示パネルの表示用磁性体の磁極の向きを反転させるためのＳ極とＮ極とを並列させてなる配向用磁石」が提案されており、また磁性体反転表示パネルを有した筆記板としての磁気ボード、筆記用磁石ペン、イレーザーや磁性配向具とをセットにした手書き磁気ボードセットについても提案されている。
【特許文献１】
特公昭５９−３２７９６号公報
【特許文献２】
国際公開第ＷＯ０１／４８５４８号公報
【０００４】
【発明が解決しようとする課題】
こうした手書き磁気ボードセットにおいては、従来、筆記用磁石ペンやイレーザーは、頻繁に使用するために、磁気ボードの枠部材に形成した凹溝状の収納部に着脱自在に保持できるようにして、磁気ボードに装着可能としてある。そのために、保管時に筆記用磁石ペンやイレーザーが紛失することはない。しかし、磁性配向具は、頻繁に使用することがないので、従来、磁気ボードに装着可能となっておらず、保管時に磁性配向具だけが紛失してしまうという問題があった。また、磁性配向具は、一般的には、磁気ボードの表示窓部の幅より長い棒状に形成してあるが、操作する（スライドさせる）際に表示窓部上を傾けてスライドさせてしまうと、磁性配向具の角部が表示窓部の磁性体反転表示パネルに衝接して磁性体反転表示パネルを傷つけてしまうことがある。
【０００５】
本発明は、こうした問題を解消するためになされたもので、磁性配向具が紛失するのを防ぐために、磁性配向具を磁気ボードに着脱自在に保持できるようにするとともに、磁性配向具を磁気ボードの表示窓部上において操作する（スライドさせる）際に、磁性配向具が磁気ボードの表示窓部上からずれて磁性配向具の角部が表示窓部の磁性体反転表示パネルに衝接して磁性体反転表示パネルを傷つけないように、磁性配向具がスライド方向に対して垂直の姿勢保った状態でスライドしやすいようにガイド部を備えた手書き磁気ボードセットを提供することを目的とするものである。
【０００６】
【課題を解決するための手段】
本発明は、
「１．  Ｓ極およびＮ極を有しＳ極側表面部分とＮ極側表面部分とを異なる色に着色した表示用磁性体と、分散媒と、増稠剤とを主成分とする降伏値を有する分散液体を収容した液体収容室を有する磁性体反転表示パネルを枠部材に支持した磁気ボードと、少なくとも、磁気ボードに形成した表示窓部における前記磁性体反転表示パネルに接近した際に、該磁性体反転表示パネルの表示用磁性体の磁極の向きを反転させるためのＳ極とＮ極とを並列させてなる配向用磁石を設けた磁性配向具とを備えた手書き磁気ボードセットにおいて、前記磁気ボードの枠部材に、前記磁性配向具を着脱自在に収納・保持可能な磁性配向具の全長より僅かに長めの全長を有する凹溝状の磁性配向具用収納部を、長辺側が前記表示窓部に並列するように設けるとともに前記表示窓部側の長辺の側壁面を傾斜面とし、前記磁性配向具用収納部から前記表示窓部側に延び、一端を磁性配向具用収納部の短辺の壁面に連接した前記表示窓部を挟んで平行な２つの起立面を、該起立面のどちらか一方に前記磁性配向具の短辺側の一方の端面が当接可能に設け、前記起立面で挟まれた前記表示窓部の幅を前記磁性配向具の配向用磁石の長手方向の長さより短寸としたことを特徴とする手書き磁気ボードセット。
２．  前記収納部の底面に、磁性体の鉄板を配設したことを特徴とする、１項に記載の手書き磁気ボードセット。」
である。
【０００７】
本発明の手書き磁気ボードセットにおいて、筆記用磁石ペンやイレーザーについては特に言及していないが、セットとして装備されていることは言うまでもない。尚、筆記用磁石ペンとイレーザーは各々別体に形成したものでも良いし、筆記用磁石ペンを備えた軸筒の後端に、筆記用磁石の磁極と反対の磁極を磁気ボードの表示窓部の磁性体反転表示パネルに当接可能に消去用磁石を配設して、筆記用磁石ペンとイレーザーを一体に設けた磁石ペンとした構造のものでも良い。
【０００８】
【発明の実施の形態】
従来の手書き磁性ボードセットにおいて、磁気ボードの枠部材に、凹溝からなる磁性配向具用収納部を長辺側が磁気ボードの表示窓部に並列するように形成する。磁性配向具を保持できるように、磁性配向具を挟持するための保持用突片等を収納部の底面に対向して設ける。または、磁性配向具を吸着・保持するための磁性体の鉄板を収納部の底面に設ける。
【０００９】
磁性配向具の操作性を良くするために、磁性配向具用収納部に収納した磁性配向具を、収納部から一旦取り出してから磁気ボードの表示窓部上に持っていき載置して操作（スライド）するのではなく、磁性配向具を磁性配向具用収納部から滑らして表示窓部上にスライドできるように、磁性配向具用収納部を構成する表示窓部側に位置した長辺の側壁面を傾斜面とする。また、磁性配向具を磁気ボードの表示窓部上をスライドさせる際に、磁性配向具が傾いてスライドすることにより、磁性配向具の角部が表示窓部の磁性体反転表示パネルに衝接して磁性体反転表示パネルを傷つけないように、磁性配向具を平行にスライドしやすくするためのガイド部として、磁性配向具の短辺側のどちらか一方の壁面が当接可能に起立面を設ける。起立面は、磁気ボードの枠部材の表面から起立した突片を設けることにより形成しても良いし、磁性配向具がスライドする部分を凹溝状に設け、凹溝を構成する壁面を起立面として形成しても良い。
【００１０】
【実施例】
本発明の実施例を、図を用いて説明する。本実施例の手書き磁気ボードセット１は、Ｓ極およびＮ極を有しＳ極側表面部分とＮ極側表面部分とを異なる色に着色した表示用磁性体と、分散媒と、増稠剤とを主成分とする降伏値を有する分散液体を収容した液体収容室を備えた磁性体反転表示パネル２を枠部材３で支持した磁気ボード４と、鉛筆型状の磁石ペン５と、棒状の磁性配向具６とからなる。
【００１１】
磁石ペン５は、図５に示すように、軸筒７の先窄み状に形成した先端部７ａに、磁気ボード４の表示窓部８の磁性体反転表示パネル２上に筆記線を書き込むための筆記用磁石９（例えば、表示用磁性体のＳ極側表面部分を緑色に着色し、Ｎ極側表面部分を白色に着色し、磁性体反転表示パネル２の表面をＳ極側表面部分である緑色の状態とした際に、白の筆記線が書かれるようにすなわち表示用磁性体がＮ極側に配向するように、磁石のＳ極部分が磁性体反転表示パネル２の表面側になるように配置）を装着してあり、後端部７ｂには、筆記線を消去するための消去用磁石１０（例えば、前記白の筆記線を消去すなわち表示用磁性体がＳ極側に配向するように、磁石のＮ極部分が磁性体反転表示パネル２の表面側になるように配置）を装着してある。１本で筆記用ペンとイレーザーとしての両方の性質を兼ね備えている。
【００１２】
磁性配向具６は、図６に示すように、磁気ボード４の表示窓部８に対向する面にＳ極とＮ極が並列してなる配向用磁石１１を装着してあり、棒状に形成してある。
【００１３】
磁性体反転表示パネル２は、図３及び図４に示すように、従来の磁気ボードと同様に枠部材３内に収納され、裏蓋部材１２で固定支持してある。磁性体反転表示パネル２の裏面２ａ（表示窓部８とは反対側）には、筆記・消去時の磁束漏れを防ぐために磁性体のパネル用鉄板３０を配設してある。
【００１４】
図１及び図２に示すように、磁気ボード４には、従来の磁気ボードと同様に枠部材３の一方の端部側３ａに、磁石ペン５を収納する凹溝状のペン用収納部１３が形成してある。ペン収納部１３の底面１３ａには、長手方向に沿った２箇所に対向して形成した突片１４、１５を設けて磁石ペン５を着脱自在に保持可能としてある。また他方の端部側３ｂには、磁性配向具６を収納する磁性配向具６の全長より僅かに長めの全長を有する凹溝状の磁性配向具用収納部１６を、長辺側が表示窓部８に並列するように形成してある。
【００１５】
磁性配向具用収納部１６の長辺の表示窓部８側の側壁面１７は、図３に示すように傾斜面としてある。これにより、磁性配向具用収納部１６に収納した磁性配向具６を表示窓部８上に移動する際に、磁性配向具６を磁性配向具用収納部１６から持ち上げて表示窓部８上に移動して載置する必要がなく、磁性配向具６を磁性配向具用収納部１６から滑らして表示窓部８上に移動させることができる。また、磁性配向具用収納部１６の底面１８には、磁性体の鉄板１９を貼り付けてあり、これにより、磁性配向具６を容易に磁性配向具用収納部１６に着脱自在に収納・保持可能としてある。
【００１６】
また、磁性配向具用収納部１６から表示窓部８を通って枠部材３の一方の端部側３ａで、ペン収納１３の近傍までの部分を凹溝２０に形成して、枠部材３の図２において上下方向の縁部２１、２２に、起立面２３、２４を設けてある。起立面２３、２４は、磁性配向具用収納部１６の短辺側の壁面２５、２６に連接してあり、前記表示窓部を挿んで平行になるように設けてある。これにより、磁性配向具６を表示窓部８上を移動させる際に、起立面２３又は２４がガイドとなって磁性配向具６を傾けることなく移動することができる。
【００１７】
前記起立面２３、２４に挟まれた表示窓部８の幅Ｌは、磁性配向具６の配向用磁石１１の長手方向の長さより短寸に形成してある。
【００１８】
【発明の効果】
本発明の手書き磁気ボードセットは前記したような構造なので、磁性配向具を磁気ボードの枠部材に形成した磁性配向具用収納部に収納・保持可能であり、不使用時には磁気ボードに保持することができ、磁性配向具が紛失するのを防ぐことができる。
【００１９】
また、磁性配向具を使用する際には、磁性配向具を収納部から持ち上げて表示窓部上に移動して載置する必要がなく、磁性配向具用収納部から滑らして表示窓部上に移動させることができるので操作性が良い。また、操作時に、磁性配向具を移動方向に対して垂直状態の姿勢を保って移動できるので、配向磁石の角部が磁性体反転表示パネルに衝接して磁性体反転表示パネルを傷つけてしまうのを防止することができる。
【図面の簡単な説明】
【図１】本実施例の手書き磁気ボードセットの平面図で、磁石ペン及び磁性配向具を手書き磁気ボードの各々の収納部に装着した状態を示す図である。
【図２】本実施例の手書き磁気ボードセットにおける手書き磁気ボードの平面図である。
【図３】図２におけるＡ−Ａ線部分の断面図である。
【図４】図２におけるＢ−Ｂ線部分の断面図である。
【図５】本実施例の手書き磁気ボードセットにおける磁石ペンの側面図である。
【図６】本実施例の手書き磁気ボードセットにおける磁性配向具の斜視図である。
【符号の説明】
１  手書き磁気ボードセット
２  磁性体反転表示パネル
３  枠部材
４  磁気ボード
６  磁性配向具
８  表示窓部
１６  磁性配向具用収納部
１８  底面
１９  鉄板
２３、２４  起立面
【図１】
2004181792.tif 000003
【図２】
2004181792.tif 000004
【図３】
2004181792.tif 000005
【図４】
2004181792.tif 000006
【図５】
2004181792.tif 000007
【図６】
2004181792.tif 000008